(57)【要約】【課題】電池交換をする際に簡単で且つ安全に電池ケースの引き出し操作ができるようにし、さらに収納しやすくすること。【解決手段】電池ケース６の下端面６ａに、ケース前爪１２とケース後爪１３とを設ける。電池収納部５の底面５ｃに、ケース前爪１２とケース後爪１３とがそれぞれ係脱可能に挿入される前後方向溝１４を形成する。電池ケース６の前面に、ケース前爪１２と前後方向溝１４との係合を解除することでケース後爪１３が前後方向溝１４の前端縁１４ａに当たるまで電池ケース６を引き出し可能とする操作部１５を設けると共に、電池ケース６の上端面６ｂ又は電池ケースに装填された電池の上端面のいずれか高い方と電池収納部５の天井面５ｂとの間に、ケース後爪１３と前後方向溝１４との掛かり代Ｄ以上の上下方向隙間４を設けた電池ケース６の脱着機構１１である。【選択図】図１
2010027373.tif 000002
【特許請求の範囲】
【請求項１】
電池を使用する機器に設けた電池収納部内に、電池が装填された電池ケースを収納すると共に、該電池ケースを電池収納部の前面開口部から前方に抜挿可能とする電池ケースの脱着機構であって、上記電池ケースの下端面に、ケース前爪とケース後爪とが前後方向に離れて設けられ、電池ケースの下端面と対向する電池収納部の底面に、上記ケース前爪とケース後爪とがそれぞれ係脱可能に挿入される前後方向溝が前後方向に長く形成され、電池ケースの前面に、上記ケース前爪と上記前後方向溝との係合を解除することでケース後爪が前後方向溝の前端縁に当たるまで電池ケースを引き出し可能とするための操作部を設けると共に、電池ケースの上端面又は電池ケースに装填された電池の上端面のいずれか高い方と電池収納部の天井面との間に、上記ケース後爪と前後方向溝との掛かり代以上の上下方向隙間を設けてなることを特徴とする電池ケースの脱着機構。
【請求項２】
上記ケース後爪が前後方向溝の前端縁に当たった電池ケースの掛け止め状態において、電池ケースが前のめりに傾いたときは電池ケースの上端面後部又は電池ケースに装填された電池の上端面後部のいずれか高い方が電池収納部の天井面に当接することでケース後爪と前後方向溝との係合が解除されないように構成されていることを特徴とする請求項１記載の電池ケースの脱着機構。
【発明の詳細な説明】
【技術分野】
【０００１】
本発明は、電池を電源とする電装品を具備する器具に適用される電池ケースの脱着機構に関するものである。
【背景技術】
【０００２】
近年、ガス調理器において、使用時の安全性、操作性、自動調理機能が求められており、その制御、自動調理時の機器の駆動電源として乾電池が一般に使用されている。
【０００３】
従来から、図７に示すように、前蓋６０付電池ケース５０を収容した電池ボックス５１を機器の電池収納部５内に収納し、電池ボックス５１の前面に設けた解除操作部５２によって器体７０に設けた係合バネ６１と電池ケース５０の前蓋６０との係合を解除することで、電池ボックス５１が図示省略した付勢手段によって前方Ａへ押し出されるようにし、一定ストローク押し出されたところで係合部５４ａ,５４ｂによって電池ボックス５１の引出しが停止し、この状態では電池ボックス５１内に収納されている電池ケース５０の前半分が露出した状態となり、この状態で電池ケース５０の前蓋６０を持ち上げて図７の仮想線で示すように前上がりに傾けることにより、係合部５４ａ,５４ｂが解除され、電池ケース５０を電池ボックス５１の外部に抜き出して電池３７を交換できるようにした構成が知られている（例えば、特許文献１参照）。
【特許文献１】特開平８−２７３６４２号公報
【発明の開示】
【発明が解決しようとする課題】
【０００４】
ところが、前記特許文献１の従来例にあっては、電池ボックス５１を途中まで引き出して停止させた状態で、電池ケース５０の前端側を持ち上げて傾けながら電池ボックス５１から抜き出す必要がある。このため従来では、電池ボックス５１の停止位置までの引き出し操作と、電池ボックス５１内からの電池ケース５０の抜き出し操作の両方を順次行なう必要があり、面倒であるうえに、電池ケース５０を抜き出すためには、その前端側を持ち上げて電池ボックス５１との係合を外さなければならず、きわめて手間がかかるものである。そのうえ、ユーザーが電池ケース５０だけを抜き取る仕組みを知らずに、電池ボックス５１を無理に引っ張り出して係合部５４ａ,５４ｂを壊してしまう恐れもあった。
【０００５】
本発明は上記の従来の問題点に鑑みて発明したものであって、その課題とするところは、電池交換をする際に簡単で且つ安全に電池ケースの引き出し操作ができ、また収納しやすくできる電池ケースの脱着機構を提供することにある。
【課題を解決するための手段】
【０００６】
上記の課題を解決するために、請求項１に係る発明は、以下の構成を特徴としている。
【０００７】
電池を使用する機器に設けた電池収納部５内に、電池が装填された電池ケース６を収納すると共に、該電池ケース６を電池収納部５の前面開口部５ａから前方Ａに抜挿可能とする電池ケースの脱着機構である。上記電池ケース６の下端面６ａに、ケース前爪１２とケース後爪１３とを前後方向に離れて設ける。電池ケース６の下端面６ａと対向する電池収納部５の底面５ｃに、上記ケース前爪１２とケース後爪１３とがそれぞれ係脱可能に挿入される前後方向溝１４を前後方向に長く形成する。電池ケース６の前面に、上記ケース前爪１２と上記前後方向溝１４との係合を解除することでケース後爪１３が前後方向溝１４の前端縁１４ａに当たるまで電池ケース６を引き出し可能とするための操作部１５を設けると共に、電池ケース６の上端面６ｂ又は電池ケース６に装填された電池の上端面のいずれか高い方と電池収納部５の天井面５ｂとの間に、上記ケース後爪１３と前後方向溝１４との掛かり代Ｄ以上の上下方向隙間４を設ける。
【０００８】
このような構成とすることで、電池ケース６の収納位置において操作部１５によってケース前爪１２を前後方向溝１４から離脱させて、電池ケース６を引き出すことができると共に、ケース後爪１３が前後方向溝１４の前端縁１４ａに当たることで、電池ケース６が引出し途中で掛け止めされ、これにより前面開口部５ａから落下してしまうことがない。さらにこの掛け止め状態から電池ケース６を意識的に上方向Ｃに持ち上げることによりケース後爪１３と前後方向溝１４との係合が外れ、電池ケース６を前方Ａに容易に抜き取ることができる。
【０００９】
また、上記ケース後爪１３が前後方向溝１４の前端縁１４ａに当たった電池ケース６の掛け止め状態において、電池ケース６が前のめりに傾いたときは電池ケース６の上端面６ｂ後部又は電池ケース６に装填された電池の上端面後部のいずれか高い方が電池収納部５の天井面５ｂに当接することでケース後爪１３と前後方向溝１４との係合が解除されないように構成されているのが好ましい。
【００１０】
このような構成とすることで、電池ケース６を意識的に持ち上げない限り、電池ケース６を手前に引き出せない構造となり、電池ケース６から手を離しても、ケース後爪１３と前後方向溝１４との係合が維持され、電池ケース６が自重によって前面開口部５ａから落下することがないので、より安全に引き出し操作を行なうことができる。
【発明の効果】
【００１１】
本発明は、電池ケースを引出し途中で落下しないように掛け止めでき、さらにこの状態で電池ケースを持ち上げて手前に抜き取ることができるので、安全且つ容易に電池ケース内の電池交換や保守点検ができるようなる。従って、従来のような電池ボックスの引き出し操作と、電池ボックス内からの電池ケースの抜き出し操作とを順次行なったり、電池ケースと電池ボックスとの係合を外したりする手間がなくなり、そのうえ従来と比較して電池ケースを抜き取る仕組みが複雑でないので、電池交換の際に電池ケースの脱着機構をユーザーが壊してしまうおそれがないものである。
【発明を実施するための最良の形態】
【００１２】
以下、本発明を添付図面に示す実施形態に基いて説明する。
【００１３】
本実施形態のグリル付きガスこんろ１は、図５に示すように、こんろバーナ３を備えるこんろ部２と、ガス燃焼式のグリルバーナ（図示せず）を備えるグリル部２０とからなるビルトインタイプのガスこんろ１である。勿論、ビルトインこんろに限定されるものではなく、テーブルこんろであってもよい。
【００１４】
先ず、こんろ部２とグリル部２０の基本構造を説明する。
【００１５】
こんろ部２の上面は、略正方形のガラス板で構成されるトッププレート８により覆われている。
【００１６】
こんろ本体内に設けたこんろ台上（図示せず）には、高火力バーナと標準バーナとからなる２口のこんろバーナ３が載置されており、トッププレート８の対角線上に設けた開口部から各こんろバーナ３の炎孔部をトッププレート８上に突出させる形態で配置されている。なお、２口のこんろバーナ３の両方共に高火力バーナとしても良い。
【００１７】
上記トッププレート８上には、各こんろバーナ３に対する被加熱物（鍋など）を受け止めて支持するための五徳９が載置されている。
【００１８】
こんろ本体内には、各種の制御を実行するように構成されたマイクロコンピュータからなる制御部（図示せず）が設けられている。さらに各こんろバーナ３には、点火作動を実行する点火装置としての点火プラグ（図示せず）および着火状態を検出するための熱電対（図示せず）が設けられている。こんろ用器具栓操作部３１を「点火」の角度まで押しまわし操作すると、こんろバーナ３にガスが供給され、点火用イグナイタに通電され連続スパークによりガスに点火する。ガスに点火すると、各こんろバーナ３に備えられた熱電対の温度が上昇し、制御部が安全弁への通電を保持することによりガスの供給が継続されることにより燃焼が継続される。万が一煮こぼれなどによりこんろバーナ３が消火すると、熱電対の温度が下がり、制御部がバーナの消火を検出すると、安全弁への通電を遮断し、バーナへのガスの供給が停止するようになっている。
【００１９】
また、上記２口こんろバーナ３の全口に、被加熱物（鍋など）の底部に接触して、その温度を検出するためのサーミスタからなるこんろ用温度センサ１０が設けられている。このこんろ用温度センサ１０は環状のこんろバーナ３の中央を貫通する形態で備えられており、こんろ用温度センサ１０の感温ヘッドは、ばねで上方に付勢されていて、五徳９に載せられた加熱容器の底面に当接して所定の消火温度（例えば２７０℃）を検知するものである。
【００２０】
一方、グリル部２０は、前面に開口した箱状に形成された扉付きグリル庫２２内に、魚などの被調理物を載置させる載置部としての焼き網（図示せず）を設けて構成されており、被調理物を上面から加熱するためのグリルバーナ（図示せず）を備えている。
【００２１】
本例のグリル庫２２は、こんろ部２の左手前に位置する高火力バーナの略直下に位置している。このようにグリル庫２２を左手前に偏在させることにより、こんろ本体内の右側部分にまとまったスペースが確保でき、ガスバルブ、点火用イグナイタ、制御部などの電装部品の配置が行ないやすくなっている。
【００２２】
上記グリルバーナにも、こんろバーナ３と同様、点火作動を実行する点火装置としての点火プラグ（図示せず）および着火状態を検出するための熱電対（図示せず）が設けられている。すなわち、グリル用器具栓操作部３２を「点火」の角度まで押しまわし操作すると、グリルバーナにガスが供給され、点火用イグナイタに通電され連続スパークによりガスに点火する。ガスに点火すると、グリルバーナに備えられた熱電対の温度が上昇し、制御部が安全弁への通電を保持することによりガスの供給が継続されることにより燃焼が継続される。万が一、グリルバーナが消火すると、熱電対の温度が下がり、制御部がバーナの消火を検出し、安全弁への通電を遮断してガス供給が停止するようになっている。
【００２３】
また、グリル庫２２の側方の前面には、図６に示すように、こんろバーナ３とグリルバーナの点火および消火や火力調節を行うための操作部として、２つのこんろ用器具栓操作部３１と、１つのグリル用器具栓操作部３２とが計３個設けられていると共に、これら器具栓操作部３１の側部に、電池ケース蓋１７で開閉される電池収納部５が設けられている。電池ケース蓋１７を設けることにより外観がすっきりとし、また不用意に電池ケース６が引き出されることがなく、子供のいたずらなどを防止できるようになる。電池収納部５の一部には表示部３４とセンサ解除スイッチ３３とを備えた操作表示パネル３６が設置されている。本例の表示部３４を説明する。先ずグリル燃焼ランプ３４ａはグリルに点火し着火が検出されたときにＬＥＤが点灯する。グリルバーナはグリル庫２２内上面に位置し、グリルバーナへの着火を直接目視では確認しにくいため、グリル燃焼ランプ３４ａにより使い勝手が良くなっている。電池交換サインランプ３４ｂは電池収納部５内に装着されている電池の直列電圧が２．１Ｖ以下になるとＬＥＤが点滅し、電池交換時期であることを報知する。センサ解除ランプ３４ｃは、センサ解除スイッチ３３の３秒長押し操作によりセンサ解除モードに設定に設定されるとＬＥＤが点灯する。ここで、センサ解除スイッチ３３は、こんろ部２で炒めものや炒りものなど高温調理を行う時にセンサ解除モードに切り替えるためのものである。一般に加熱しすぎによる調理ミスや天ぷら油火災を未然に回避するために、こんろ用温度センサ１０の検知温度が予め設定された消火設定温度を上回るとこんろ過熱防止機能が働いて自動的に消火されてしまうという問題がある。そこで、センサ解除スイッチ３３を例えば３秒以上長押しすることにより、こんろ過熱防止機能の作動温度が例えば２９０℃に変更されるセンサ解除モードに設定できるようにしており、このときセンサ解除ランプ３４ｃが点灯することでセンサ解除モードに設定されたことをひと目で判別できる構造となっている。
【００２４】
ここで本発明において、図１（ａ）に示すように、ガスこんろ１の前面に、前面が開口した電池収納部５を設け、例えば２個の電池が装填された電池ケース６が電池収納部５の前面開口部５ａから前方に向かって抜挿可能に収納されている。ここでは、電池ケース６の上端面６ｂの高さが電池ケース６に装填される電池の上端面よりも高いものとして、以下説明する。
【００２５】
電池ケース６の脱着機構１１を説明する。電池ケース６の下端面６ａには、前後方向に離間してケース前爪１２とケース後爪１３とが設けられている。電池ケース６の下端面６ａと対向する電池収納部５の底面５ｃ中央には、上記ケース前爪１２とケース後爪１３とがそれぞれ係脱可能に挿入される前後方向溝１４が前後方向に長く形成されている。
【００２６】
本例では、図４に示すように、電池ケース６の底板６ｃ中央部分を支点Ｂにして前後方向にそれぞれアーム片１８,１９が形成されている。後側のアーム片１９にはケース後爪１３が形成され、前側のアーム片１８にはケース前爪１２が形成されている。各アーム片１８,１９は、いずれも、周囲のスリット１６ａ,１６ｂによって電池ケース６の底板６ｃ中央部分を支点Ｂにして上方向Ｃに弾性変位可能となっている。さらにケース前爪１２の先端は電池ケース６の前板６ｄ側に設けたＬ字状の屈曲部２４の一端に連設され、屈曲部２４の他端は後述する下側片１５ｂに連設されている。
【００２７】
電池ケース６の前板６ｄには、図１（ｂ）に示すように、上側片１５ａと下側片１５ｂとからなる操作部１５が設けられており、操作部１５を指で上下から摘むことにより、下側片１５ｂと連設されているケース前爪１２のみが電池ケース６の底板６ｃ中央部分を支点Ｂにして上方向Ｃに撓むようにして持ち上がってケース前爪１２が前後方向溝１４から離脱するようになるが、このとき、ケース後爪１３は下側片１５ｂによって持ち上げられず、前後方向溝１４に嵌まり込んだ状態を維持するようになっている。これにより、操作部１５によりケース前爪１２が前後方向溝１４から離脱することで、ケース後爪１３が前後方向溝１４の前端縁１４ａに当たるまで、電池ケース６は前方Ａに引出し可能となる。
【００２８】
上記ケース後爪１３が前後方向溝１４の前端縁１４ａに当たった電池ケース６の掛け止め状態において、図２（ａ）に示すように、ケース後爪１３から前面開口部５ａまでの距離Ｌ１は、電池ケース６の後端面から前面開口部５ａまでの距離Ｌ２の約１／２となっている。これにより、図２（ｂ）に示すように、電池ケース６が前のめりに傾いたときは電池ケース６の上端面６ｂ後部が上方向Ｃに浮き上がって電池収納部５の天井面５ｂに当接することでケース後爪１３と前後方向溝１４との係合が解除されないようになっている。
【００２９】
また、電池ケース６の上端面６ｂと電池収納部５の天井面５ｂとの間には、図２（ａ）に示すように、前後方向溝１４に対するケース後爪１３の掛かり代Ｄ（図１（ａ）のケース後爪１３の高さ寸法）よりも幅広の上下方向隙間４が設けられている。この上下方向隙間４により、ユーザーが電池ケース６を意識的に持ち上げることにより、ケース後爪１３と前後方向溝１４との係合が解除され、電池ケース６を手前に引き出せるようになっている。本例ではケース後爪１３の掛かり代Ｄをケース前爪１２の掛かり代Ｅよりも低くしており（Ｅ＞Ｄ）、これにより、操作部１５を操作しない状態においては、ケース前爪１２と前後方向溝１４との係合が容易に解除されないようにしている。
【００３０】
しかして、上記構成によれば、電池が装填された電池ケース６を電池収納部５に収納した状態（図１（ａ））では、電池ケース６のケース前爪１２及びケース後爪１３が共に、電池収納部５の底面５ｃ中央に前後方向に形成された前後方向溝１４に嵌まり込んでいると共に、ケース前爪１２が前後方向溝１４の前端縁１４ａに当たっているため、電池ケース６は前方Ａに移動できず、収納位置に保持される。この状態では電池ケース６に装填された２本の電池は電池収納部５の奥に設けられた本体電極バネ４０に弾接しており、ガスこんろ１の電源として、電池から電力が供給できる状態になっている。またこの状態では、本体電極バネ４０によって電池ケース６は電池収納部５の奥に移動することができず、電池ケース６を電池収納部５における所定の位置に安定的に保持できるようになる。本体電極バネ４０は、電池の正極側あるいは負極側の電極に接触する本体電極バネ４０であり、電池ケース６を引き出し方向に向かって付勢する飛び出し用バネを兼ねている。なお電池の数は２本に限定されない。
【００３１】
上記電池ケース６を引き出すにあたっては、図１（ｂ）のように電池ケース６の前板６ｄに設けた操作部１５を上下から摘むと、操作部１５の下側片１５ｂが持ち上がることにより、操作部１５の下側片１５ｂからケース前爪１２のアーム片１８の根元部分にかけての部位が、電池ケース６の底板６ｃ部分を支点にして撓むように上方向Ｃに持ち上がる。これにより、ケース前爪１２が前後方向溝１４から離脱すると共に、電池収納部５の奥に設けた本体電極バネ４０からのバネ付勢力が作用することによって、ケース前爪１２が前後方向溝１４の前端縁１４ａを乗り越えて電池収納部５の底面５ｃ上に移動し、これに伴い電池ケース６が前方Ａ向に移動する。このとき下側片１５ｂによってケース前爪１２が上方向Ｃに持ち上がっても、ケース後爪１３は持ち上がらず、前後方向溝１４に嵌まり込んだ状態を維持しており、これによりケース後爪１３が前後方向溝１４の前端縁１４ａに当たるまで電池ケース６が引き出し可能となる。
【００３２】
上記のように電池ケース６を一定ストローク引き出して、ケース後爪１３が前後方向溝１４の前端縁１４ａに当たる位置に達すると、電池ケース６はそれ以上、前方Ａへの移動ができない掛け止め状態となる（図１（ｂ）、図２の状態）。この状態で、操作部１５から手を離すと、図２（ｂ）のよう前面開口部５ａから前方Ａに浮き出た状態にある電池ケース６は自重によってケース後爪１３を支点に前のめりに傾くが、このとき電池ケース６の下端面６ａ前部（Ｆ）が前面開口部５ａの下端に当接し且つ電池ケース６の上端面６ｂ後部（Ｇ）が電池収納部５の天井面５ｂに当接することで、ケース後爪１３と前後方向溝１４との係合が解除されず、電池ケース６から手を離しても抜け出して落下する心配がない。従って、電池ケース６の落下による怪我の危険性をなくすことができ、安全に引き出し操作を行なうことができる。
【００３３】
また、上記の掛け止め状態では、電池ケース６の上端面６ｂと電池収納部５の天井面５ｂとの間にはケース後爪１３と前後方向溝１４との掛かり代Ｄ以上、つまりケース後爪１３の高さ以上の上下方向隙間４が存在している。これにより、図３のように電池ケース６の上端面６ｂが電池収納部５の天井面５ｂに接触するまで電池ケース６を持ち上げるように手前に引き出すことで、ケース後爪１３が前後方向溝１４から離脱して、電池ケース６を抜き取ることができる。従って、従来のような電池ボックスの引き出し操作と、電池ボックス内からの電池ケース６の抜き出し操作とを順次行なったり、電池ケース６と電池ボックスとの係合を外したりする手間がなくなり、そのうえ従来と比較して電池ケース６を抜き取る仕組みが複雑ではないので、電池交換の際に電池ケースの脱着機構１１をユーザーが壊してしまうおそれがなくなる。しかも操作部１５を摘む操作は、親指と人差し指でも十分に可能な作業だから、片手で簡単に係合を解除でき、電池ケース６の一定ストロークの引出しが容易となり、しかも、電池ケース６の掛け止め状態では前面開口部５ａの前方Ａに浮き出た状態にあるので、電池ケース６を手で掴んで抜き取りがしやすくなる。従って、簡単に電池ケース６の引き出し操作ができ、電池の交換がしやすくなる。
【００３４】
また、電池交換後は電池ケース６を電池収納部５の奥に押し込むだけで、ケース前爪１２及びケース後爪１３をそれぞれ前後方向溝１４内に嵌め込むことができると共に、ケース前爪１２及びケース後爪１３の各アーム片１８,１９はそれぞれ下方に向かって復元力を有しているので、ケース前爪１２及びケース後爪１３が前後方向溝１４内に確実に係合され、電池ケース６を収納位置に収納しやすくなる。このとき、電池ケース６を押し込むと、ケース前爪１２がその弾性復元力によって電池収納部５の底面５ｃ上を滑りながら前後方向溝１４の前端縁１４ａにカチッと嵌まり込むので、その感触で電池ケース６が確実に収納されたかどうかの確認が容易にできる。
【００３５】
前記実施形態では、電池ケース６の上端面６ｂの高さが電池ケース６に装填された電池の上端面より高い場合を想定したが、仮に、電池ケース６の上端面６ｂの高さが装填された電池の上端面より低い場合においては、装填された電池の上端面と電池収納部５の天井面５ｂとの間に、ケース後爪１３の掛かり代Ｄ以上の上下方向隙間４が存在する構成とすればよいものであり、またこの場合において、掛け止め状態にある電池ケース６が前のめりに傾いたときは装填された電池の上端面後部が電池収納部５の天井面５ｂに当接することでケース後爪１３と前後方向溝１４との係合が解除されない構成とすればよいものである。
【図面の簡単な説明】
【００３６】
【図１】本発明の一実施形態の電池ケースの脱着機構を示し、（ａ）は電池ケースの収納位置を示し、（ｂ）は電池ケースを収納位置から途中まで引出した状態を示す側面断面図である。
【図２】同上の電池ケースの掛け止め状態を示し、（ａ）は図４のＨ−Ｈ線に沿う断面図、（ｂ）は電池ケースが前のめりに傾いた状態の説明図である。
【図３】同上の電池ケースを掛け止め状態から持ち上げて手前に引出す動作の説明図である。
【図４】同上の掛け止め状態にある電池ケースと電池収納部の底面図である。
【図５】同上の電池ケースとこれを収納する電池収納部とを備えたグリル付きガスこんろの正面図である。
【図６】同上の電池ケース蓋を閉じた状態の操作部付近の正面図である。
【図７】従来例の説明図である。
【符号の説明】
【００３７】
１  ガスこんろ
４  上下方向隙間
５  電池収納部
５ａ  電池収納部の前面開口部
５ｂ  電池収納部の天井面
５ｃ  電池収納部の底面
６  電池ケース
６ａ  電池ケースの下端面
６ｂ  電池ケースの上端面
１１  脱着機構
１２  ケース前爪
１３  ケース後爪
１４  前後方向溝
１４ａ  前端縁
Ａ  前方
Ｄ  掛かり代
【図１】
2010027373.tif 000003
【図２】
2010027373.tif 000004
【図３】
2010027373.tif 000005
【図４】
2010027373.tif 000006
【図５】
2010027373.tif 000007
【図６】
2010027373.tif 000008
【図７】
2010027373.tif 000009